(57)【要約】【課題】防犯監視の開始／終了に関する従来装置の煩わしさを解消して、使い勝手を良くする。【解決手段】電気錠１により施錠／開錠される出入口Ｇが閉鎖された状態で室内の防犯監視を開始し、当該防犯監視の状態において正規手続きを受け付けると前記防犯監視を終了する一方、前記防犯監視の状態において前記出入口Ｇが正規手続きによらず開放された場合には外部に警報を発する防犯装置による前記防犯監視の開始／終了を制御する防犯装置制御システムであって、前記出入口Ｇの外側に設けられ、データキャリア装置Ｃの情報を読み取る読取手段３と、当該読取手段３が読み取った情報が正規のデータキャリア装置Ｃの情報であった場合に、前記電気錠１を制御し、前記読取手段３が正規のデータキャリア装置Ｃの情報を所定時間を越えて連続的に読み取った場合に、防犯装置による防犯監視の開始／終了を行う監視手段（４，５からなる）と、を備える。【選択図】図１
2007226708.tif 000002
【特許請求の範囲】
【請求項１】
電気錠により施錠／開錠される出入口が閉鎖された状態で室内の防犯監視を開始し、当該防犯監視の状態において正規手続きを受け付けると前記防犯監視を終了する一方、前記防犯監視の状態において前記出入口が正規手続きによらず開放された場合には外部に警報を発する防犯装置による前記防犯監視の開始／終了を制御する防犯装置制御システムであって、
前記出入口の外側に設けられ、データキャリア装置の情報を読み取る読取手段と、
当該読取手段が読み取った情報が正規のデータキャリア装置の情報であった場合に、前記電気錠を制御し、前記読取手段が正規のデータキャリア装置の情報を特定のパターンで読み取った場合に、防犯装置による防犯監視の開始／終了を行う監視手段と、
を備えることを特徴とする防犯装置制御システム。
【請求項２】
前記監視手段は、前記読取手段が正規のデータキャリア装置の情報を所定時間を越えて連続的に読み取った場合に、防犯装置による防犯監視の開始／終了を行うことを特徴とする請求項１に記載の防犯装置制御システム。
【発明の詳細な説明】
【技術分野】
【０００１】
本発明は、防犯装置による防犯監視の開始／終了を制御する防犯装置制御システムに関する。
【背景技術】
【０００２】
従来、住居や事務所等で用いられている防犯装置には、扉や窓等にその開閉を検知するセンサを設置するとともに室内に住宅情報盤を設置し、センサにより不法な侵入が検知された場合にこれを住宅情報盤により室内外に報知するものがある。
住宅情報盤は、インタホンとしての機能や、ガス漏れ、漏水等を報知する機能等、住宅の種々の情報をユーザに知らせる機能をもつものである。
【０００３】
このような防犯装置は、例えば、特許文献１に示すもののように、防犯設定、即ち、扉や窓が開かれたときに不法な侵入があったとしてこれを報知するよう設定する場合には、室内の住宅情報盤により操作するようになっているものが多い。このような防犯装置を設置した住居や事務所において、外出時に留守宅への不法侵入を監視するべく防犯設定する場合には、ユーザは、まず、室内にて住宅情報盤により防犯設定操作を行い、数十秒程度の猶予時間が経過するまでに屋外へ出る。この猶予時間が経過すると、防犯装置が防犯監視を開始する。そして、こういった防犯装置は、一般に、防犯設定の解除も室内の住宅情報盤により操作するようになっているので、帰宅時には、扉を開けた際に一旦警報状態となるが、ユーザが数十秒程度の猶予時間が経過するまでに住宅情報盤を操作することにより防犯設定を解除すると、防犯装置が防犯監視を終了し、警報状態が解除される。
【０００４】
上記特許文献１に記載の技術の他に、室内に設けられる住宅情報盤以外によって防犯設定及び防犯設定解除を行うようにしている防犯装置もある。例えば、特許文献２の技術のような扉の鍵とは別の防犯設定用鍵によってＯＮ／ＯＦＦ切替操作されるキースイッチを玄関扉の外側に設けたものや、特許文献３の技術のようなタッチパネルやテンキー等を備える入力装置を屋外に設け、パスワード等の入力を受け付けることにより防犯設定及び防犯設定解除を行うようにしたもの等がある。
【特許文献１】特開２００４−３１０４９５号公報
【特許文献２】特開平１０−１８８１４８号公報
【特許文献３】特開２００３−３２４５３５号公報
【発明の開示】
【発明が解決しようとする課題】
【０００５】
上記特許文献１のような防犯装置では、外出時には、ユーザは、住宅情報盤により防犯設定操作を行ってから防犯監視が開始されるまでの数十秒程度の猶予時間が経過するまでに、屋外へ出る必要がある。したがって、何らかの事情により、ユーザが屋外へ出るために扉を開けるのが猶予時間経過後になった場合には、警報状態となってしまう。
また、上記特許文献１のような防犯装置では、帰宅時には、扉を開けて警報状態となってから数十秒程度の猶予時間が経過するまでに住宅情報盤により防犯設定を解除する必要がある。したがって、何らかの事情により、ユーザが猶予時間経過前に防犯設定を解除できなかった場合には、警報が通報される先の警備会社等に連絡を取り、今回の警報は誤操作等によるものであるとの連絡をしなければならない。
【０００６】
特許文献２のような防犯装置では、キースイッチを玄関扉の外側に設けなければならない。また、ユーザは、扉の鍵とは別の鍵を持ち歩かなければならない。そして、ユーザは、扉の鍵とは別に、防犯設定用のキースイッチを操作しなければならない。
特許文献３のような防犯装置では、入力装置を玄関扉の外側に設けなければならない。また、ユーザは、パスワード等を記憶しておかなければならない。パスワード等は、漏洩する恐れがある。漏洩に備えて定期的にパスワード等を変更するようにすると、手間がかかる上、ユーザがパスワード等を忘れ易くなってしまう。
【０００７】
本発明は、上述した事情に鑑みてなされたもので、防犯監視の開始／終了に関する従来装置の煩わしさを解消して、使い勝手を良くすることを目的とする。
【課題を解決するための手段】
【０００８】
上記課題を解決するために、本発明では、防犯装置制御システムに係る第１の手段として、電気錠により施錠／開錠される出入口が閉鎖された状態で室内の防犯監視を開始し、当該防犯監視の状態において正規手続きを受け付けると前記防犯監視を終了する一方、前記防犯監視の状態において前記出入口が正規手続きによらず開放された場合には外部に警報を発する防犯装置による前記防犯監視の開始／終了を制御する防犯装置制御システムであって、前記出入口の外側に設けられ、データキャリア装置の情報を読み取る読取手段と、当該読取手段が読み取った情報が正規のデータキャリア装置の情報であった場合に、前記電気錠を制御し、前記読取手段が正規のデータキャリア装置の情報を特定のパターンで読み取った場合に、防犯装置による防犯監視の開始／終了を行う監視手段と、を備えるものを採用した。
【０００９】
上記課題を解決するために、本発明では、防犯装置制御システムに係る第２の手段として、上記第１の手段において、前記監視手段は、前記読取手段が正規のデータキャリア装置の情報を所定時間を越えて連続的に読み取った場合に、防犯装置による防犯監視の開始／終了を行うものを採用した。
【発明の効果】
【００１０】
本発明によれば、読取手段が出入口の外側に設けられており、また、監視手段は、読取手段が正規のデータキャリア装置から情報を読み取ると、防犯監視の開始／終了を行うので、防犯監視の開始／終了に関する従来装置の煩わしさを解消して、使い勝手を良くすることができる。
つまり、例えば、室内における防犯監視の開始操作後、一定の猶予時間内に退室する必要がなく、入室後、一定の猶予時間内に防犯監視の終了操作を行う必要がない。
また、例えば、施錠／開錠に用いる鍵と防犯設定／解除に用いる鍵とを分ける必要がなく、両方を同じデータキャリア装置で兼ねることができる。
更に、例えば、ボタン等を操作する必要がなく、パスワード等を記憶しておく必要がない。
【発明を実施するための最良の形態】
【００１１】
以下、本発明の一実施形態について図面を参照して説明する。図１は、本実施形態に係る防犯装置の構成を示す模式図である。本防犯装置は、電気錠１、マグネットセンサ２、カードリーダ３（読取手段）、コントローラ４及び住宅情報盤５を備えている。コントローラ４及び住宅情報盤５は、監視手段を構成している。カードリーダ３、コントローラ４及び住宅情報盤５は、防犯装置制御システムを構成している。
【００１２】
電気錠１は、住居や事務所等の出入口Ｇに備えられた扉Ｄに設けられ、コントローラ４から信号が入力されることにより、出入口Ｇを施錠又は開錠する。
マグネットセンサ２は、扉Ｄの開閉状態を検知し、住宅情報盤５へ検知結果を出力する。
【００１３】
カードリーダ３は、非接触ＩＣカードＣ（データキャリア装置）に記憶された情報（カード情報）を非接触で読み取るものである。非接触ＩＣカードＣは、ＩＣチップ及びアンテナを備え、無線により情報の読み出しが可能に構成されたものである。
また、カードリーダ３は、２つのＬＥＤ（Light Emitting Diode）３ａ，３ｂ（報知手段）を備えている。一方のＬＥＤ３ａは、緑色に発光するもので、コントローラ４による制御の下に、施錠／開錠をユーザに伝える。他方のＬＥＤ３ｂは、赤色に発光するもので、コントローラ４による制御の下に、監視状態／非監視状態をユーザに伝える。
【００１４】
コントローラ４は、ＣＰＵを備えており、電気錠１、カードリーダ３及び住宅情報盤５と施錠／開錠及び防犯監視の開始／終了に係わる情報の授受を行い、またこれらに対して、施錠／開錠及び防犯監視の開始／終了に係わる制御を行う。
【００１５】
住宅情報盤５は、コントローラ４による制御の下に、防犯設定処理／防犯設定解除処理を行う。また、住宅情報盤５は、マグネットセンサ２により出入口Ｇの扉Ｄの開閉状態を認知し、防犯監視中に扉Ｄが開放された場合には警報状態としてこれを警備会社等に通報する。
【００１６】
次に、図２及び図３をも参照して、本実施形態の防犯装置の動作について説明する。図２は、防犯装置の動作を示すフローチャートであり、図３は、カードリーダ３が備えるＬＥＤ３ａ，３ｂの状態遷移を示す状態遷移図である。
【００１７】
まず、本実施形態の防犯装置が設置された住居（又は事務所）の住人（又は使用者）である操作者は、施錠／開錠及び防犯設定／解除に用いる鍵として、非接触ＩＣカードＣを用いる。この非接触ＩＣカードＣには、例えば、住人（又は使用者）を特定する固有情報が記憶されている。
【００１８】
操作者が、図３（ａ）に示すように非接触ＩＣカードＣをカードリーダ３に近接させ、カードリーダ３に非接触ＩＣカードＣの固有情報を読み取らせると、カードリーダ３は固有情報をコントローラ４に出力し、コントローラ４は、固有情報を受け取る（ステップＳ１）。
次に、コントローラ４は、現在、出入口Ｇが開錠されているか施錠されているかを確認し（ステップＳ２）、それに応じて続く処理を選択する。出入口Ｇが開錠されている場合には（ステップＳ２の開錠状態）、コントローラ４は、タイマを設定し（ステップＳ３）、電気錠１により出入口Ｇを施錠する（ステップＳ４）。このとき、図３（ｂ）に示すように、カードリーダ３は、コントローラ４による制御の下に、ＬＥＤ３ａを点滅させ、操作者に対して施錠したことを知らせる。
続いて、コントローラ４は、カードリーダ３が非接触ＩＣカードＣの固有情報を読み取り続けているか否かを判断し（ステップＳ５）、読み取り続けている場合には（ステップＳ５のＹｅｓ）、タイマにより計測されている時間が所定時間（例えば２秒程度）を越えたか否かを判断し（ステップＳ６）、所定時間を越えていた場合には（ステップＳ６のＹｅｓ）、住宅情報盤５に対して防犯監視の開始を促す防犯設定信号を出力する。これにより、住宅情報盤５は、防犯設定処理を行う（ステップＳ７）。このとき、図３（ｃ）に示すように、カードリーダ３は、コントローラ４による制御の下に、ＬＥＤ３ａ及び３ｂを同時に点滅させ、操作者に対して防犯設定処理中であることを知らせる。そして、防犯設定処理が完了し防犯監視が開始されたときには、図３（ｄ）に示すように、カードリーダ３は、コントローラ４による制御の下に、ＬＥＤ３ａ及び３ｂを同時に点灯させ、操作者に対して防犯監視中となったことを知らせた後、消灯させる。
【００１９】
ステップＳ６において、タイマにより計測されている時間が所定時間（前述のように例えば２秒程度）を越えていなかった場合には（ステップＳ６のＮｏ）、ステップＳ５へ戻る。
また、ステップＳ５において、カードリーダ３が非接触ＩＣカードＣの読み取りを終了していた場合には（ステップＳ５のＮｏ）、防犯設定処理は行われないので、防犯監視は開始されない。
【００２０】
ステップＳ２において、出入口Ｇが施錠されていた場合には（ステップＳ２の施錠状態）、コントローラ４は、防犯監視中であるか否かを判断し（ステップＳ８）、防犯監視中であれば（ステップＳ８のＹｅｓ）、住宅情報盤５に対して防犯監視の終了を促す防犯設定解除信号を出力する。これにより、住宅情報盤５は、防犯設定解除処理を行う（ステップＳ９）。続いて、コントローラ４は、電気錠１に信号を出力して出入口Ｇを開錠する（ステップＳ１０）。
ステップＳ８において、防犯監視中でなかった場合には（ステップＳ８のＮｏ）、そのまま開錠する（ステップＳ１０）。
【００２１】
ここで、防犯装置が、ユーザの意図しない動作を行うことを防ぐために、本実施形態の防犯装置では、ステップＳ６において、タイマにより計測されている時間が所定時間を越えていたと判断された後も更にユーザが非接触ＩＣカードＣをカードリーダ３にかざし続けたとしても、何も処理を行わないとしている。したがって、例えば、ユーザが、施錠（又は施錠及び防犯設定）を行った後に続けて、忘れ物を取りに行く等の理由で開錠（又は開錠及び防犯設定解除）を行うような場合には、非接触ＩＣカードＣを一旦カードリーダ３から離間させた後に、改めて、非接触ＩＣカードＣをカードリーダ３に近接させるよう、ユーザに周知しておく。
同様に、本実施形態の防犯装置では、ステップＳ１０において、開錠が行われた後も更にユーザが非接触ＩＣカードＣをカードリーダ３にかざし続けたとしても、何も処理を行わない。したがって、例えば、ユーザが、開錠した後に続けて、再度施錠（又は施錠及び防犯設定）を行うような場合には、非接触ＩＣカードＣを一旦カードリーダ３から離間させた後に、改めて、非接触ＩＣカードＣをカードリーダ３に近接させるよう、ユーザに周知しておく。
【００２２】
なお、本実施形態では、報知手段としてＬＥＤ３ａ，３ｂを用いているが、実施にあたっては、他の報知手段としてもよい。例えば、スピーカを設け、スピーカから防犯監視を開始／終了したことを案内する音声を発声させるようにしてもよい。
【図面の簡単な説明】
【００２３】
【図１】本発明の一実施形態の防犯装置の構成を示す模式図である。
【図２】本発明の一実施形態の防犯装置の動作を示すフローチャートである。
【図３】本発明の一実施形態の防犯装置が備えるＬＥＤの状態遷移を示す状態遷移図である。
【符号の説明】
【００２４】
１…電気錠、  ２…マグネットセンサ、  ３…カードリーダ（読取手段）、  ３ａ，３ｂ…ＬＥＤ（Light Emitting Diode）（報知手段）、  ４…コントローラ（監視手段の一部）  ５…住宅情報盤（監視手段の一部）
【図１】
2007226708.tif 000003
【図２】
2007226708.tif 000004
【図３】
2007226708.tif 000005
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
電気錠により施錠／開錠される出入口が閉鎖された状態で室内の防犯監視を開始し、当該防犯監視の状態において正規手続きを受け付けると前記防犯監視を終了する一方、前記防犯監視の状態において前記出入口が正規手続きによらず開放された場合には外部に警報を発する防犯装置による前記防犯監視の開始／終了を制御する防犯装置制御システムであって、
前記出入口の外側に設けられ、データキャリア装置の情報を読み取る読取手段と、
当該読取手段が読み取った情報が正規のデータキャリア装置の情報であった場合に、前記電気錠が施錠されていれば開錠し、前記電気錠が開錠されていれば施錠し、更に、
前記開錠にあたって前記防犯装置が前記防犯監視中であれば前記防犯監視を終了し、
前記読取手段が正規のデータキャリア装置の情報を所定時間を越えて連続的に読み取った場合に、前記防犯装置が前記防犯監視中でなければ前記防犯監視を開始する監視手段と、
点灯、消灯又は点滅の何れかの状態（明滅状態）をとる２個のＬＥＤを有し、
該ＬＥＤ各々の前記明滅状態の組み合わせが相違する４つの表示パターンを、前記監視手段による施錠及び防犯監視開始／開錠及び防犯監視終了／施錠／開錠の４種類の制御動作に対応付け、
各前記ＬＥＤの前記明滅状態を変更することにより前記制御動作の何れが実行中であるかを表示する表示手段と、
を備えることを特徴とする防犯装置制御システム。
【請求項２】
前記表示手段は、
緑色に発光する前記ＬＥＤと赤色に発光する前記ＬＥＤとを有し、
前記監視手段によって前記電気錠が施錠されると緑色に発光する前記ＬＥＤを点滅させ、
前記監視手段によって前記防犯装置による前記防犯監視を開始するにあたって、防犯設定処理中には２つの前記ＬＥＤを同時に点滅させ、前記防犯設定処理が完了すると２つの前記ＬＥＤを所定時間点灯させた後に消灯させる
ことを特徴とする請求項１に記載の防犯装置制御システム。